(57)【要約】【課題】屋外にパステル等の筆記具で描画された描画体を十分に保護することができる保護方法を提供する。【解決手段】描画体１上に、ソープフリータイプの水性樹脂エマルジョンと造膜剤と水とを含んで構成された固着液４を散布する固着液散布工程と、固着液散布工程で散布した固着液４を乾燥させる乾燥工程と、を交互に複数回繰り返すことにより描画体１上に透明または半透明の固着層８を形成し、この固着層８により描画体１の色材を構築物へ固着させる。【選択図】図１
2015085304.tif 000002
【特許請求の範囲】
【請求項１】
屋外の構築物の表面に色材を含んだ筆記具をこすりつけて描いた描画体を保護する保護方法であって、
前記描画体上に、ソープフリータイプの水性樹脂エマルジョンと造膜剤と水とを含んで構成された固着液を散布する固着液散布工程と、
前記固着液散布工程で散布した固着液を乾燥させる乾燥工程と、
を交互に複数回繰り返すことにより描画体上に透明または半透明の固着層を形成し、この固着層により描画体の色材を構築物へ固着させることを特徴とする描画体の保護方法。
【請求項２】
前記固着層上に、当該固着層よりも強固であって透明または半透明のコーティング層を形成するコーティング工程を行うことを特徴とする請求項１に記載の描画体の保護方法。
【請求項３】
前記固着液散布工程において固着液を霧状にして散布することを特徴とする請求項１または請求項２に記載の描画体の保護方法。
【発明の詳細な説明】
【技術分野】
【０００１】
本発明は、屋外の構築物の表面に筆記具をこすりつけて描いた描画体を保護する保護方法に関する。
【背景技術】
【０００２】
従来、屋外の構築物（道路や建物等）の表面においては、線、文字、イラスト等の描画体が描画されることがある。そして、耐久性の優れた材料で描画することにより、描画体を長期間に亘って視認良好な状態で維持可能とすることが提案されている（例えば、特許文献１参照）。
【先行技術文献】
【特許文献】
【０００３】
【特許文献１】特開平１１−２０９６１９号公報
【発明の概要】
【発明が解決しようとする課題】
【０００４】
ところで、路上等の屋外にパステルやチョークで絵を描くパフォーマンスが行われることがあり、このパフォーマンスで描画された絵は保護されずに消されてしまう。しかしながら、描画のパフォーマンスだけではなく、描画された絵自体にも優れた芸術性があるため、この絵を消さずに保護して長期間鑑賞できるようにして欲しいという要望がある。
【０００５】
そこで、一般のパステル画（紙やキャンバス上に描画するパステル画）で用いられている定着剤（フィキサチーフ）を吹き付けて屋外の絵（詳しくは、粉末状のパステルやチョーク）を保護しようとすることが考えられる。ところが、フィキサチーフで形成される層は、指でこすっただけで簡単に剥がれてしまう程弱く、このため、風雨に晒されたりする路上等の屋外においては、パステルやチョーク等で描画された絵（描画体）を十分に保護することができない。
【０００６】
本発明は、上記した事情に鑑みてなされたものであり、その目的は、屋外にパステル等の筆記具で描画された描画体を十分に保護することができる保護方法を提供しようとするものである。
【課題を解決するための手段】
【０００７】
本発明は、上記目的を達成するために提案されたものであり、請求項１に記載のものは、屋外の構築物の表面に色材を含んだ筆記具をこすりつけて描いた描画体を保護する保護方法であって、
前記描画体上に、ソープフリータイプの水性樹脂エマルジョンと造膜剤と水とを含んで構成された固着液を散布する固着液散布工程と、
前記固着液散布工程で散布した固着液を乾燥させる乾燥工程と、
を交互に複数回繰り返すことにより描画体上に透明または半透明の固着層を形成し、この固着層により描画体の色材を構築物へ固着させることを特徴とする描画体の保護方法である。
【０００８】
請求項２に記載のものは、前記固着層上に、当該固着層よりも強固であって透明または半透明のコーティング層を形成するコーティング工程を行うことを特徴とする請求項１に記載の描画体の保護方法である。
【０００９】
請求項３に記載のものは、前記固着液散布工程において固着液を霧状にして散布することを特徴とする請求項１または請求項２に記載の描画体の保護方法である。
【発明の効果】
【００１０】
本発明によれば、以下のような優れた効果を奏する。
請求項１に記載の発明によれば、屋外の構築物の表面に色材を含んだ筆記具をこすりつけて描いた描画体を保護する保護方法であって、前記描画体上に、ソープフリータイプの水性樹脂エマルジョンと造膜剤と水とを含んで構成された固着液を散布する固着液散布工程と、前記固着液散布工程で散布した固着液を乾燥させる乾燥工程と、を交互に複数回繰り返すことにより描画体上に透明または半透明の固着層を形成し、この固着層により描画体の色材を構築物へ固着させるので、描画体が風雨に晒されたりしても、色材が乱れてしまう不都合を抑制することができ、屋外に描画された描画体を十分に保護することができる。
【００１１】
請求項２に記載の発明によれば、前記固着層上に、当該固着層よりも強固であって透明または半透明のコーティング層を形成するコーティング工程を行うので、屋外の描画体を長期に亘って保護し易い。
【００１２】
請求項３に記載の発明によれば、前記固着液散布工程において固着液を霧状にして散布するので、色材を飛散させずに固着液を散布することができ、保護作業中に描画体が崩れてしまう不都合を避けることができる。
【図面の簡単な説明】
【００１３】
【図１】描画体の保護方法の模式図であり、（ａ）は保護前の描画体の状態、（ｂ）は固着液を散布している状態、（ｃ）は描画体上に固着層が形成された状態である。
【図２】固着層上にコーティング層を形成した状態の模式図である。
【発明を実施するための形態】
【００１４】
以下、本発明を実施するための形態を図面に基づいて説明する。
まず、本発明において保護対象となる描画体について説明する。描画体１は、屋外の構築物の表面（本実施形態では舗装道路の路面）２に色材が含まれたパステルやチョーク等の筆記具をこすりつけて、絵や記号や文字等の表記物として描画されている。なお、描画体１が描画される場所（被描画面）としては、アスファルトやコンクリートの舗装を施した道路の路面、建物の外壁や屋根などが代表例として挙げられるが、構築物のうち屋外に露出した表面であればどのような場所でもよい。また、筆記具は、パステルやチョークに限らず、構築物の表面２にこすりつけて描画体１を描画できるものであれば、どのような筆記具でもよい。
【００１５】
次に、描画体１を保護する固着液４について説明する。
固着液４は、水性樹脂エマルジョンと、造膜剤として機能するテキサノールと、水とを含んで構成される水性の液体であり、水性樹脂エマルジョンを１５〜３５重量部、造膜剤を５〜１０重量部、水を５５〜８０重量部の分量で混合して調製されている。ここで、水性樹脂エマルジョンは、描画体１の被覆成分となるアクリル樹脂を乳化剤や界面活性剤を使用せずに水に溶かしてエマルジョン化したソープフリータイプのエマルジョン（例えば、高圧ガス（株）製合成樹脂エマルジョンの「ペガールＬＳ」（「ペガール」は登録商標））である。なお、水性樹脂エマルジョンに含まれる合成樹脂は、例示したアクリル樹脂のほか、ウレタン樹脂、酢酸ビニル樹脂、アクリル変性樹脂など、ソープフリータイプの水性樹脂エマルジョンを構成可能であれは、どのような合成樹脂でもよい。また、固着液４に混合される造膜剤は、例示したテキサノールに限定されず、固着液４内の合成樹脂に対する造膜剤として機能すればどのような物質であってもよい。
【００１６】
次に、描画体１の保護作業について説明する。なお、描画体１は、図１（ａ）に示すように、屋外の構築物の表面２に予め描画されているものとする。また、作業環境については、固着液４の乾燥を良好に行うことを考慮して、温度が１０℃以上、湿度が８５％以下であればよいが、温度が１５℃以上、湿度が７５％以下であることが好ましい。
【００１７】
まず、描画体１の上に固着液４を描画体１よりもひと回り広い範囲に亘って散布する（固着液散布工程）。詳しくは、図１（ｂ）に示すように、霧吹き６等を用いて固着液４を霧状にし、構築物の表面２にこすりつけられた色材が飛散しない状態で散布する。例えば、霧吹き６を描画体１へ直接向けずに描画体１の上方へ向け、霧吹き６から噴霧された固着液４の液滴（ミスト）を自重により落下させて描画体１の上に散布する。これにより、描画体１を構成する色材が固着液４の散布時の風圧で飛散する不都合を避けること、言い換えると、色材を飛散させずに固着液４を散布することができ、保護作業中に描画体１が崩れてしまう不都合を避けることができる。なお、固着液散布工程においては、固着液４を描画体１の全体に対して薄く散布し、一度に厚く散布しないことが好適である。これは、固着液４を一度に厚く散布すると、描画体１上に固着液４の液溜まりが形成され、この液溜まり内に色材が浮遊したり、あるいは固着液４が色材を浮かせた状態で流れたりして、描画体１が崩れる虞があるためである。
【００１８】
描画体１の上に固着液４を薄く散布したならば、散布された固着液４を十分に乾燥させる（乾燥工程）。固着液４が十分に乾燥したならば、再び固着液４を散布し、散布された固着液４を十分に乾燥させる。このようにして固着液散布工程と乾燥工程とを交互に繰り返して、描画体１上に無色透明な固着層（描画体１を視認可能な状態で固着する固着層）８を形成する（図１（ｃ）参照）。描画体１上に形成された固着層８は、描画体１の周りに露出した構築物の表面２や、描画体１内（色材の間）から露出した構築物の表面２（言い換えると、色材で塗りつぶされていない被描画面）に固着して、描画体１（色材）を当該固着層８と被描画面との間に挟んで封じ込める。したがって、描画体１が風雨に晒されたりしても、色材が乱れてしまう不都合を抑制することができ、屋外に描画された描画体１を十分に保護することができる。
【００１９】
なお、固着層８は無色透明であることに限定されない。要は、描画体１を視認可能な状態で固着できれば、どのような固着層でもよく、例えば、有色透明の固着層でもよいし、あるいは半透明の固着層でもよい。
【００２０】
さらに、上記固着液散布工程と乾燥工程とを交互に繰り返して形成された固着層８上に樹脂製のコーティング剤を散布して、図２に示すように、固着層８よりも強固なコーティング層９を固着層８上に形成してもよい（コーティング工程）。このようなコーティング層９により固着層８を被覆すれば、屋外の描画体１を長期に亘って保護し易くなり好適である。なお、コーティング工程で形成されるコーティング層９は、描画体１を視認可能な状態で被覆可能であればよく、例えば、透明でもよいし半透明でもよい。
【００２１】
また、コーティング層９を形成する樹脂や固着層８を形成する樹脂がＵＶカット機能（紫外線が描画体１に到達することを阻止する機能）を備えていれば、紫外線の長期照射による色材の変色（色褪せ）、ひいては描画体１の経時劣化を抑制することができる。
【００２２】
さらに、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００２３】
１  描画体
２  構築物の表面
４  固着液
６  霧吹き
８  固着層
９  コーティング層
【図１】
2015085304.tif 000003
【図２】
2015085304.tif 000004